(57)【要約】【課題】リアカバーがメス型コネクタハウジングに装着した場合、リアカバー内の電線の固定性を向上させて、電線振動によるメス型コネクタハウジング内の端子接点部の摩耗を防ぐことができるリアカバーを提供する。【解決手段】コネクタハウジングに装着されてコネクタハウジングから導出される電線Ｗを案内するリアカバー１０において、電線Ｗを収容する電線収容溝１０Ａを設け、電線収容溝１０Ａ内の両壁面１０Ｗ、１０Ｗの上部の異なった高さから電線収容溝１０Ａの方向に互いに延出した電線挿入口突起１０Ｆを電線Ｗの収容方向に沿って形成し電線出口部１０Ｎまで形成し、また、２列の電線挿入口突起１０Ｆ、１０Ｆの先端部同士の間隔は収容される電線Ｗの直径にした。【選択図】図３
2011090944.tif 000002
【特許請求の範囲】
【請求項１】
コネクタハウジングに装着されて前記コネクタハウジングから導出される電線を案内するリアカバーにおいて、前記電線を収容する電線収容溝を設け、前記電線収容溝内の両壁面の上部の異なった高さから前記電線収容溝方向に互いに延出した電線挿入口突起を前記電線の収容方向に沿って形成し電線出口部まで形成したことを特徴とするリアカバー。
【請求項２】
前記２列の電線挿入口突起の先端部同士の間隔は前記収容される電線の直径であることを特徴とする請求項１記載のリアカバー。
【請求項３】
前記２列の電線挿入口突起の先端部同士の平面視間隔は前記収容される電線の直径より小さいことを特徴とする請求項２記載のリアカバー。
【請求項４】
前記電線収容溝内の前記電線挿入口突起の直近に、前記電線収容溝内に収容された電線が滑降するようになる斜面が形成されていることを特徴とする請求項３記載のリアカバー。
【請求項５】
前記電線収容溝内の前記電線挿入口突起の直近の底部に、前記電線収容溝内に収容された最初の電線が最下部に到達するようになる段差が形成されていることを特徴とする請求項３記載のリアカバー。
【請求項６】
前記電線収容溝内の前記電線挿入口突起の直近の底部に、前記電線収容溝内に収容された最初の２本の電線が両方に分かれるようになる中央突出壁が形成されていることを特徴とする請求項３記載のリアカバー。
【請求項７】
前記リアカバーの後端部を細く形成してテープを巻き易くしたことを特徴とする請求項１〜６のいずれか１項記載のリアカバー。
【請求項８】
内部に装着された端子金具と前記端子金具に接続されて外部に導出された電線とを備えて成るコネクタハウジングと、
前記コネクタハウジングに装着されて前記コネクタハウジングから導出される電線を案内するリアカバーと、
を有するコネクタにおいて、前記リアカバーとして請求項１〜７のいずれか１項記載のリアカバーを用いたことを特徴とするコネクタ。
【発明の詳細な説明】
【技術分野】
【０００１】
本発明は、コネクタハウジングにリアカバーを取付けて電線をリアカバーに沿って案内させるコネクタに関するもので、特にその電線の振れを防止する機能を有するリアカバーとそれを備えたコネクタに関する。
【背景技術】
【０００２】
コネクタハウジングの後側（相手方コネクタとの嵌合側の反対側）から導出された電線をリアカバーを形成する基壁の前側に沿わせることで、電線がリアカバーに案内されるようにしたリアカバー付きのコネクタは知られている（特許文献１参照）。
【先行技術文献】
【特許文献】
【０００３】
【特許文献１】特開２００３−４５５５６号公報
【０００４】
〈特許文献１記載のカバー付コネクタの構成〉
特許文献１記載のカバー付コネクタは、片面に粘着剤が塗布されたテープを用いて、リアカバーの基壁とこの基壁の前側に束ねられた複数の電線とをテープの巻付けにより固定し、複数の電線をリアカバーの基壁に固定するものである。
粘着剤が塗布された面側が内側となるようにしてテープでこのように複数の電線とリアカバーの基壁とを巻くことで、複数の電線をリアカバーの基壁の前側に固定するものである。
【発明の概要】
【発明が解決しようとする課題】
【０００５】
〈特許文献１記載のカバー付コネクタの問題点〉
ところが、特許文献１記載のカバー付コネクタにおいては、リアカバーの基壁とこの基壁の前側に束ねられた複数の電線とが粘着テープに巻付けられている場合に複数の電線がすべて粘着テープにて完全に固定されることが難しいため、粘着テープに接触しない電線は振動で動き易く、振動が長期的に加わると、電線の振動がメス端子の接点部に伝わることにより接点の摩耗が発生する虞があった。
【０００６】
〈本発明の目的〉
本発明は上記欠点を解決するためになされたもので、リアカバー内での電線の固定性の向上を図り、コネクタに振動が加わってもリアカバー内の電線が振動することのないようにし、したがってまた、電線の振動によるコネクタ内の端子接点部の摩耗が生じないようにすることを目的としている。
【課題を解決するための手段】
【０００７】
本発明は上記課題を解決するためになされたもので、本願の第１発明はリアカバーに係り、コネクタハウジングに装着されて前記コネクタハウジングから導出される電線を案内するリアカバーにおいて、前記電線を収容する電線収容溝を設け、前記電線収容溝内の両壁面の上部の異なった高さから前記電線収容溝方向に互いに延出した電線挿入口突起を前記電線の収容方向に沿って形成し電線出口部まで形成したことを特徴としている。
【０００８】
また、第２発明は、第１発明のリアカバーにおいて、前記２列の電線挿入口突起の先端部同士の間隔が前記収容される電線の直径であることを特徴としている。
【０００９】
また、第３発明は、第２発明のリアカバーにおいて、前記２列の電線挿入口突起の先端部同士の平面視間隔が前記収容される電線の直径より小さいことを特徴としている。
【００１０】
また、第４発明は、第３発明のリアカバーにおいて、前記電線収容溝内の前記電線挿入口突起の直近に、前記電線収容溝内に収容された電線が滑降するようになる斜面が形成されていることを特徴としている。
【００１１】
また、第５発明は、第３発明のリアカバーにおいて、前記電線収容溝内の前記電線挿入口突起の直近の底部に、前記電線収容溝内に収容された最初の電線が最下部に到達するようになる段差が形成されていることを特徴としている。
【００１２】
また、第６発明は、第３発明のリアカバーにおいて、前記電線収容溝内の前記電線挿入口突起の直近の底部に、前記電線収容溝内に収容された最初の２本の電線が両方に分かれるようになる中央突出壁が形成されていることを特徴としている。
【００１３】
また、第７発明は、第１〜第６発明のリアカバーにおいて、前記リアカバーの後端部を細く形成してテープを巻き易くしたことを特徴としている。
【００１４】
また、第８発明はコネクタに係り、内部に装着された端子金具と前記端子金具に接続されて外部に導出された電線とを備えて成るコネクタハウジングと、前記コネクタハウジングに装着されて前記コネクタハウジングから導出される電線を案内するリアカバーと、を有するコネクタにおいて、前記リアカバーとして第１〜第７発明のいずれかのリアカバーを用いたことを特徴としている。
【発明の効果】
【００１５】
第１発明によれば、電線収容溝内の両壁面の上部の異なった高さから前記電線収容溝方向に互いに延出した電線挿入口突起を前記電線の収容方向に沿って形成し電線出口部まで形成したので、リアカバー内での電線の固定性の向上を図り、コネクタに振動が加わってもリアカバー内の電線が振動することにないようにし、したがってまた、電線の振動によるコネクタ内の端子接点部の摩耗が生じないようになる。
【００１６】
第２発明によれば、２列の電線挿入口突起の先端部同士の間隔が収容される電線の直径であるので、電線収容溝に電線が収納できるが、電線収容溝からは離脱しにくくなる。
【００１７】
第３発明によれば、２列の電線挿入口突起の先端部同士の平面視間隔が収容される電線の直径より小さいので、電線収容溝に収容された電線が真上に離脱できなくなる。
【００１８】
第４発明によれば、電線収容溝内の電線挿入口突起の直近に、電線収容溝内に収容された電線が滑降するようになる斜面が形成されているので、電線収容溝に収容された電線は斜面を滑り降りて先端に達し、そこに収容されるようになるため、電線の収容がし易くなり作業性が向上する。
【００１９】
第５発明によれば、電線収容溝内の電線挿入口突起の直近の底部に、電線収容溝内に収容された最初の電線が最下部に到達するようになる段差が形成されているので、電線収容溝に収容された電線は段差を降りて先端に達し、そこに収容されるようになるため、電線の収容がし易くなり作業性が向上する。
【００２０】
第６発明によれば、電線収容溝内の電線挿入口突起の直近の底部に、電線収容溝内に収容された最初の２本の電線が両方に分かれるようになる中央突出壁が形成されているので、電線収容溝内に収容された最初の２本の電線は中央突出壁の両壁面側に収容されるようになるため、電線の収容がし易くなり作業性が向上する。
【００２１】
第７発明によれば、リアカバーの後端部を細く形成したので、テープが巻き易くなった。
【００２２】
第８発明によれば、コネクタを構成するリアカバーとして第１〜第７発明のいずれかのリアカバーを用いたので、電線の振動によるコネクタ内の端子接点部の摩耗が生じないようになる。
【図面の簡単な説明】
【００２３】
【図１】図１は、本発明の実施例１に係るリアカバーを説明するための平面図である。
【図２】図２は図１のリアカバーがメス型コネクタハウジングに装着した状態のメス型コネクタ全体の平面図である。
【図３】図３は図１のリアカバーを電線出口側から見た斜視図である。
【図４】図４は本発明の実施例１に係るリアカバーの電線収容溝を説明する断面図で、（Ａ）は電線未収納状態、（Ｂ）は電線を収納しかつテーピング終了状態である。
【図５】図５は電線出口側で電線Ｗにテーピング処理を施した実施例１に係るリアカバーを電線出口側から見た斜視図である。
【図６】図６は、リアカバーがメス型コネクタハウジングに装着した状態をメス型コネクタハウジング側から見た斜視図である。
【図７】図７は本発明の実施例２に係るリアカバーの電線収容溝を説明する断面図で、（Ａ）は電線未収納状態、（Ｂ）は電線を収納しかつテーピング終了状態である。
【図８】図８は電線出口側で電線Ｗにテーピング処理を施した実施例２に係るリアカバーを電線出口側から見た斜視図である。
【図９】図９は本発明の実施例３に係るリアカバーの電線収容溝を説明する断面図で、（Ａ）は電線未収納状態、（Ｂ）は電線を収納しかつテーピング終了状態である。
【図１０】図１０は電線出口側で電線Ｗにテーピング処理を施した実施例３に係るリアカバーを電線出口側から見た斜視図である。
【発明を実施するための形態】
【００２４】
以下、（イ）電線の固定性の向上により、電線振動による端子接点部の磨耗を確実に防ぐことができ、
（ロ）リアカバー後端部を細く形成することでテープを巻き易くして作業性を向上でき、
（ハ）左右の電線挿入口突起の位置を互いに上下方向にずらして設置することで、電線が電線収容溝から離脱するのを防ぎ、
（ニ）スリットの横幅を電線径よりも細いスリットとすることで上下方向の離脱を防止し、
（ホ）リアカバー後端部の肉厚を薄くすることで電線の振れを確実に規制する本発明に係る実施例１〜３のリアカバーについて、以下に図面を用いて説明する。
【実施例１】
【００２５】
〈リアカバー１０は装着部と実施例１に係る電線把持部とから成る〉
図１は、本発明の実施例１に係るリアカバー１０を説明するための平面図、図２は図１のリアカバー１０がメス型コネクタハウジング２０に装着した状態のメス型コネクタ全体の平面図である。
図１において、リアカバー１０は、後端部から電線Ｗが導出されている状態のメス型コネクタハウジング２０（図２）と装着するための装着部１０Ｘと、装着されたメス型コネクタハウジング２０から導出される電線Ｗを通過させて把持する電線把持部１０Ｙとを備えている。
《装着部１０Ｘ》
装着部１０Ｘはリアカバー１０の前端側にあってメス型コネクタハウジング２０の後端（電線導出側）を装着する開口を有し、かつその開口の内部にメス型コネクタハウジング２０の係止突起と係合する係止溝１０Ｋ（後述。図６）とを備えている。
この装着部の装着構造自体は新規ではなく、本発明に関係しないので説明は省略する。
《電線把持部１０Ｙ》
本発明の実施例１に係るリアカバー１０の特徴は電線把持部１０Ｙにあり、特に電線把持部１０Ｙに次のような電線収容溝１０Ａを形成したことにある。
【００２６】
〈実施例１に係る電線把持部１０Ｙ〉
本発明の実施例１に係る電線把持部１０Ｙは、（１）電線収容溝１０Ａに電線挿入口突起１０Ｆを設けたこと、（２）電線把持部１０Ｙの電線出口側を先細（さきぼそ）に形成したことが特徴である。
この２つの特徴により、電線Ｗがリアカバー１０の電線収容溝１０Ａに収容された状態では、リアカバー１０の電線収容溝内面に挟持されることにより、電線Ｗの左右方向への振れが規制されるようになる。以下、これらについて順次述べる。
【００２７】
〈電線挿入口突起１０Ｆの設けられる場所〉
図３は図１のリアカバー１０を電線出口側から見た斜視図である。本発明によって設けられた電線挿入口突起１０Ｆは、電線収容溝１０Ａ（図１）の電線入口側１０Ｍ（図１）の近傍から電線出口側１０Ｎ（図１）までに亘り、電線収容溝１０Ａの両壁１０Ｗの上部からさらに互いに電線収容溝１０Ａの上を覆うように延出して形成されて成る。
電線挿入口突起１０Ｆは実施例１〜３に応じてそれぞれ異なる断面のバリエーションが提起されているが、設けられる場所および長尺方向の長さはすべて同じである。
そこで、次ぎに、その電線挿入口突起１０Ｆの断面について説明する。
【００２８】
〈実施例１の電線挿入口突起１０Ｆ〉
図４は本発明の実施例１に係るリアカバーの電線収容溝を説明する断面図で、（Ａ）は電線未収納状態、（Ｂ）は電線を収納しかつテーピング終了状態である。
図において、電線収容溝１０Ａの図で左右の両壁１０Ｗの上部の互いに異なった高さから電線収容溝１０Ａの開口に向けてほぼ水平に電線挿入口突起１０Ｆが次のように延びることにより、電線収容溝１０Ａに収容された電線Ｗが電線挿入口から真上に離脱することを防いでいる。実施例１の電線挿入口突起１０Ｆは７つの特徴がある。
【００２９】
《第１の特徴：ｔ１＝線径》
左右の電線挿入口突起１０Ｆ、１０Ｆの先端同士の間隔ｔ１は電線Ｗの直径（線径）に等しいことである。これによって、作業者は電線Ｗを左右の電線挿入口突起１０Ｆ、１０Ｆの隙間から電線収容溝１０Ａ内に収容することができるが、収容された電線Ｗはそこから離脱するのは難しい。
【００３０】
《第２の特徴：ｔ２＜線径》
左右の電線挿入口突起１０Ｆ、１０Ｆの先端同士の平面視の長さｔ２は線径よりも小さいことである。電線収容溝１０Ａ内に収容された電線Ｗはこれによって真上から離脱することができなくなる。
【００３１】
《第３の特徴：ｔ３＜線径》
左右の電線挿入口突起１０Ｆ、１０Ｆの先端同士の側面視の長さｔ３は線径よりも小さいことである。電線収容溝１０Ａ内に収容された電線Ｗはこれによって真横から離脱することができなくなる。
【００３２】
《第４の特徴：電線挿入口突起１０Ｆの厚さは薄くて撓む》
左右の電線挿入口突起１０Ｆ、１０Ｆの厚さは薄くしてある。これによって電線挿入口突起１０Ｆは撓むことができ、電線Ｗがリアカバー１０が装着された際、指で押し込むことによりリアカバー１０の電線収容溝１０Ａに設けた電線挿入口突起１０Ｆが撓むので、簡単にリアカバー１０の電線収容溝１０Ａに収容され、作業性が向上する。
また、特に、リアカバー後端部１０Ｄの肉厚を薄くすることで、テープＴＰを巻き付けた際、電線収容構内壁が図４（Ｂ）のように矢印方向に撓み、電線Ｗの振れを確実に規制する。
以上のように電線Ｗが収容されたリアカバーは、片面に粘着剤が塗布されたテープＴＰを端部１０Ｄ（図１）に巻き付けることで、図５に示すように、電線Ｗが電線収容溝１０Ａの内部から離脱することを防ぐ。
【００３３】
《第５の特徴：リアカバー１０の後端部１０Ｄを細く形成》
図５は電線出口側で電線Ｗにテーピング処理を施した状態を電線出口側から見た斜視図である。実施例１の特徴５では、リアカバー１０の後端部１０Ｄ（図１）を上流よりも幅を次第に細く形成して先細にしている。
このように形成することで、リアカバー１０の後端部１０ＤにテープＴＰを巻き付け易くして作業性の向上を図ることができ、かつ強くテープＴＰの巻回ができるため、テープＴＰの電線Ｗからの剥離を防止することができる。
【００３４】
《第６の特徴：電線挿入口突起１０Ｆの表側面は斜面》
また、左右の電線挿入口突起１０Ｆの表側面１０Ｇ（図３）を斜面に形成している。
このようにすることで、電線Ｗの収容が容易になり、作業性が向上する。
【００３５】
《第７の特徴：電線挿入口の内部直近に斜面》
電線挿入口の内部の直近には斜面１０Ｊ（図３、図４）が形成されており、複数本収容される電線のうち最初の電線Ｗはその斜面１０Ｊに沿って滑降して底面１０Ｂの最先端に収容され、２番目の電線Ｗはその斜面１０Ｊに沿って滑降して第１番目の電線Ｗの隣りに接して収容され、３番目の電線Ｗはその斜面に沿って第２番目の電線Ｗの隣りに接して収容されるといったように重力を応用して底部最先端から自動的に詰めて順次収容されるので、作業性が向上する。
【００３６】
〈効果１：左右方向への電線Ｗの振れ防止〉
電線Ｗがリアカバー１０の電線収容溝１０Ａ（図１、図３）に収容された状態では、左右の電線挿入口突起１０Ｆ（図４）の裏側の垂直面１０Ｃ（図４）と斜面１０Ｊ（図４）とに挟持されることにより、左右方向への電線Ｗの振れを防ぐことが可能である。
【００３７】
〈効果２：上下方向への電線Ｗの振れ防止〉
また、電線Ｗがリアカバー１０の電線収容溝１０Ａに収容された状態では、底面１０Ｂ（図４）と左右の電線挿入口突起１０Ｆのそれぞれの裏側の水平面１０Ｅ（図４）と斜面１０Ｊに挟持されることにより、上下方向への電線Ｗの振れを規制することが可能である。
【００３８】
〈電線Ｗの本数〉
以上は電線Ｗ３本の電線収容溝１０Ａへの収容例について述べたが、本発明はこれに限定されるものではなく、それ以上の本数の電線を収容する場合も、それ以下の本数の場合も上記で記載した内容と同様に収容することができる。
以上の構造により、電線Ｗはリアカバー１０の電線収容溝１０Ａに収容・固定され、コネクタに振動が加わった際でも電線の振れを防止することができ、端子接点部の磨耗を確実に防ぐことができる。
【００３９】
〈リアカバー１０とメス型コネクタハウジング２０の係合部〉
ここで、リアカバー１０とメス型コネクタハウジング２０の係合部について、図６を用いて説明しておく。図６は、リアカバー１０がメス型コネクタハウジング２０に装着完了した状態の斜視図で、図２のリアカバー１０とメス型コネクタハウジング２０の図を裏返しにしてメス型コネクタハウジング２０側から見た図である。また、図中の拡大図Ｓはリアカバー１０の係止溝１０Ｋとメス型コネクタハウジング２０の係止突起２０Ｋとの係合部を説明する図で、リアカバー１０のフードの部位における係合部を通る面で切断した横断面図である。
図Ｓにおいて、リアカバー１０の左右方向両側の所定部位に係止溝１０Ｋが形成されている。
また、メス型コネクタハウジング２０の装着時の対向箇所に係止突起２０Ｋが形成されている。リアカバー１０とメス型コネクタハウジング２０とが装着した状態で、リアカバー１０に形成されている係止溝１０Ｋにメス型コネクタハウジング２０の係止突起２０Ｋが係合して、リアカバー１０がメス型コネクタハウジング２０から外れないようになっている。
実施例１におけるリアカバー１０とメス型コネクタハウジング２０の係合関係は、同様に、実施例２および３にも当てはまる。
【００４０】
〈実施例１の長所〉
以上のように、実施例１によれば、（イ）電線の固定性の向上により、電線振動による端子接点部の磨耗を確実に防ぐことができ、（ロ）リアカバー後端部を細く形成することでテープを巻き易くして作業性を向上でき、（ハ）左右の電線挿入口突起の位置を互いに上下方向にずらして設置することで、電線が電線収容溝から離脱するのを防ぎ、（ニ）スリットの横幅を電線径よりも細いスリットとすることで上下方向の離脱を防止し、（ホ）リアカバー後端部の肉厚を薄くすることで、電線の振れを確実に規制できるようになる。
【実施例２】
【００４１】
〈実施例２の電線挿入口突起１０Ｆ〉
図７は本発明の実施例２に係るリアカバー１０’の電線収容溝を説明する断面図で、（Ａ）は電線未収納状態、（Ｂ）は電線を収納しかつテーピング終了状態である。
図において、電線収容溝１０Ａの図で左右の両壁１０Ｗの上部の互いに異なった高さから電線収容溝１０Ａの開口に向けてほぼ水平に電線挿入口突起１０Ｆが次のように延びることにより、電線収容溝１０Ａに収容された電線Ｗが電線挿入口から真上に離脱することを防いでいる。実施例２が実施例１と異なるのは、実施例１では斜面１０Ｊを設けていたのに対して実施例２では底面１０Ｂに段差１０Ｂ１、１０Ｂ２を設けた点に特徴がある。
他の特徴は同じであり、その効果も実施例１と同じである。
【００４２】
《第１の特徴：ｔ１＝線径》
左右の電線挿入口突起１０Ｆ、１０Ｆの先端同士の間隔ｔ１は電線Ｗの直径（線径）に等しいことである。これによって、作業者は電線Ｗを左右の電線挿入口突起１０Ｆ、１０Ｆの隙間から電線収容溝１０Ａ内に収容することができるが、収容された電線Ｗはそこから離脱するのは難しい。
【００４３】
《第２の特徴：ｔ２＜線径》
左右の電線挿入口突起１０Ｆ、１０Ｆの先端同士の平面視の長さｔ２は線径よりも小さいことである。電線収容溝１０Ａ内に収容された電線Ｗはこれによって真上から離脱することができなくなる。
【００４４】
《第３の特徴：ｔ３＜線径》
左右の電線挿入口突起１０Ｆ、１０Ｆの先端同士の側面視の長さｔ３は線径よりも小さいことである。電線収容溝１０Ａ内に収容された電線Ｗはこれによって真横から離脱することができなくなる。
【００４５】
《第４の特徴：電線挿入口突起１０Ｆの厚さは薄くて撓む》
左右の電線挿入口突起１０Ｆ、１０Ｆ（図７）の厚さは薄くしてある。これによって電線挿入口突起１０Ｆは撓むことができ、電線Ｗがリアカバー１０’が装着された際、指で押し込むことによりリアカバー１０’の電線収容溝１０Ａに設けた電線挿入口突起１０Ｆが撓むので、簡単にリアカバー１０’の電線収容溝１０Ａに収容され、作業性が向上する。
また、特に、リアカバー後端部１０Ｄ（図８）の肉厚を薄くすることで、テープＴＰを巻き付けた際、電線収容構内壁が図７（Ｂ）のように矢印方向に撓み、電線Ｗの振れを確実に規制する。
以上のように電線Ｗが収容されたリアカバーは、片面に粘着剤が塗布されたテープＴＰを後端部１０Ｄに巻き付けることで、電線Ｗが電線収容溝１０Ａの内部から離脱することを防ぐ。
【００４６】
《第５の特徴：リアカバー１０’の後端部１０Ｄを細く形成》
図８は電線出口側で電線Ｗにテーピング処理を施した状態を電線出口側から見た斜視図である。実施例２の特徴５では、リアカバー１０’の後端部１０Ｄを上流よりも幅を次第に細く形成して先細にしている。
このように形成することで、リアカバー１０’の後端部１０ＤにテープＴＰを巻き付け易くして作業性の向上を図ることができ、かつ強くテープＴＰの巻回ができるため、テープＴＰの電線Ｗからの剥離を防止することができる。
【００４７】
《第６の特徴：電線挿入口突起１０Ｆの表側面は斜面》
また、左右の電線挿入口突起１０Ｆの表側面１０Ｇ（図７）を斜面に形成している。
このようにすることで、電線Ｗの収容が容易になり、作業性が向上する。
【００４８】
《第７の特徴：底面１０Ｂに段差ＢＩ・Ｂ２》
第７の特徴が実施例１と異なる点である。
図７において、線挿入口の内部の直近には高段１０Ｂ２との奥に低段１０Ｂ１が形成されており、複数本収容される電線のうち最初の電線は奥の低段１０Ｂ１に収容され、２番目の電線は高段１０Ｂ２に収容される。
図７（Ｂ）のように、２本の電線Ｗがリアカバー１０’の電線収容溝１０Ａに収容された状態では、電線挿入口突起１０Ｆの４箇所のそれぞれの裏側の垂直面１０Ｃに挟持されることにより、左右方向への電線Ｗの振れを防ぐことが可能である。
また、２本の電線Ｗがリアカバー１０’の電線収容溝１０Ａに収容された状態では、２箇所の底面１０Ｂ１、１０Ｂ２と左右の電線挿入口突起１０Ｆのそれぞれの裏側の水平面１０Ｅに挟持されることにより、上下方向への電線Ｗの振れを規制することが可能である。
このように、２本の電線を収容する場合、実施例２によれば、低段１０Ｂ１と高段１０Ｂ２の個別に電線Ｗを収容することで、電線Ｗとリアカバー１０’との接触面を増やし、確実に電線Ｗの振れを防止することができる。
【実施例３】
【００４９】
〈実施例３の電線挿入口突起１０Ｆ〉
図９は本発明の実施例３に係るリアカバー１０”の電線収容溝を説明する断面図で、（Ａ）は電線未収納状態、（Ｂ）は電線を収納しかつテーピング終了状態である。
図において、電線収容溝１０Ａの図で左右の両壁１０Ｗの上部の互いに異なった高さから電線収容溝１０Ａの開口に向けてほぼ水平に電線挿入口突起１０Ｆが次のように延びることにより、電線収容溝１０Ａに収容された電線Ｗが電線挿入口から真上に離脱することを防いでいる。実施例３が実施例２と異なるのは、実施例２では底面１０Ｂに段差１０Ｂ１、１０Ｂ２を設けていたのに対して、実施例３では底面１０Ｂの中央に中央突出壁１０Ｔを設けた点に特徴がある。
他の特徴は同じであり、その効果も実施例１と同じである。
【００５０】
《第１の特徴：ｔ１＝線径》
左右の電線挿入口突起１０Ｆ、１０Ｆの先端同士の間隔ｔ１は電線Ｗの直径（線径）に等しいことである。これによって、作業者は電線Ｗを左右の電線挿入口突起１０Ｆ、１０Ｆの隙間から電線収容溝１０Ａの内部に収容することができるが、収容された電線Ｗはそこから離脱するのは難しい。
【００５１】
《第２の特徴：ｔ２＜線径》
左右の電線挿入口突起１０Ｆ、１０Ｆの先端同士の平面視の長さｔ２は線径よりも小さいことである。電線収容溝１０Ａ内に収容された電線Ｗはこれによって真上から離脱することができなくなる。
【００５２】
《第３の特徴：ｔ３＜線径》
左右の電線挿入口突起１０Ｆ、１０Ｆの先端同士の側面視の長さｔ３は線径よりも小さいことである。電線収容溝１０Ａの内部に収容された電線Ｗはこれによって真横から離脱することができなくなる。
【００５３】
《第４の特徴：電線挿入口突起１０Ｆの厚さは薄くて撓む》
左右の電線挿入口突起１０Ｆ、１０Ｆの厚さは薄くしてある。これによって電線挿入口突起１０Ｆは撓むことができ、電線Ｗがリアカバー１０”が装着された際、指で押し込むことによりリアカバー１０”の電線収容溝１０Ａに設けた電線挿入口突起１０Ｆが撓むので、電線挿入口突起１０Ｆ同士の間隔が線径ギリギリであっても電線Ｗを簡単にリアカバー１０”の電線収容溝１０Ａに収容され、作業性が向上する。
また、特に、リアカバー後端部１０Ｄ（図９）の肉厚を薄くすることで、テープＴＰを巻き付けた際、電線収容構内壁が図９（Ｂ）のように矢印方向に撓み、電線Ｗの振れを確実に規制する。
以上のように電線Ｗが収容されたリアカバー１０”は、片面に粘着剤が塗布されたテープＴＰを後端部１０Ｄに巻き付けることで、電線Ｗが電線収容溝内部１０Ａから離脱することを防ぐ。
【００５４】
《第５の特徴：リアカバー１０”の後端部１０Ｄを細く形成》
図１０は電線出口側で電線Ｗにテーピング処理を施した状態を電線出口側から見た斜視図である。実施例２の特徴５では、リアカバー１０”の後端部１０Ｄを上流よりも幅を次第に細く形成して先細にしている。
このように形成することで、リアカバー１０”の後端部１０ＤにテープＴＰを巻き付け易くして作業性の向上を図ることができ、かつ強くテープＴＰの巻回ができるため、テープＴＰの電線Ｗからの剥離を防止することができる。
【００５５】
《第６の特徴：電線挿入口突起１０Ｆの表側面は斜面》
また、左右の電線挿入口突起１０Ｆの表側面１０Ｇ（図９）を斜面に形成している。
このようにすることで、電線Ｗの収容が容易になり、作業性が向上する。
【００５６】
《第７の特徴：底面１０Ｂの真ん中に中央突出壁１０Ｔ》
第７の特徴が実施例１および２と異なる点である。
図９（Ａ）において、線挿入口の内部の底面１０Ｂの真ん中に中央突出壁１０Ｔが形成されており、３本収容される電線のうち図９（Ｂ）のように２本の電線は中央突出壁１０Ｔを挟む左右の底面１０Ｂに収容し、３番目の電線は中央突出壁１０Ｔの頂部に収容されるようにしている。
このように、３本の電線Ｗがリアカバー１０の電線収容溝１０Ａに収容された状態では、電線挿入口突起１０Ｆの４箇所のそれぞれの裏側の垂直面１０Ｃと中央突出壁１０Ｔの両垂直壁面１０Ｈに挟持されることにより、左右方向への電線Ｗの振れを防ぐことが可能である。
また、３本の電線Ｗがリアカバー１０の電線収容溝１０Ａに収容された状態では、３箇所の底面１０Ｂと左右の電線挿入口突起１０Ｆの３箇所のそれぞれの裏側の水平面１０Ｅに挟持されることにより、上下方向への電線Ｗの振れを規制することが可能である。
【符号の説明】
【００５７】
１０  実施例１のリアカバー
１０’  実施例２のリアカバー
１０”  実施例３のリアカバー
１０Ａ  電線収容溝
１０Ｂ  底面
１０Ｃ  垂直面
１０Ｅ  水平面
１０Ｆ  電線挿入口突起
１０Ｇ  表側面（斜面） 
１０Ｊ  斜面
１０Ｋ  係止溝
１０Ｍ  電線入口側 
１０Ｎ  電線出口側
１０Ｔ  中央突出壁 
１０Ｗ  壁 
１０Ｘ  装着部
１０Ｙ  電線把持部
２０  メス型コネクタハウジング
２０Ｋ  係止突起
Ｗ  電線
ＴＰ  テープ
【図１】
2011090944.tif 000003
【図２】
2011090944.tif 000004
【図３】
2011090944.tif 000005
【図４】
2011090944.tif 000006
【図５】
2011090944.tif 000007
【図６】
2011090944.tif 000008
【図７】
2011090944.tif 000009
【図８】
2011090944.tif 000010
【図９】
2011090944.tif 000011
【図１０】
2011090944.tif 000012